(57)【要約】  ＣＤ及びＤＶＤ及び、いかなる読取装置でも読み出すことが出来るような光ディスク（４）に記録された画像／音デジタル情報（２）に関する記録構造体（１）は、記録されたトラック部分（３）が、全体コンテンツ（Ｂ）を包含する全体トラックのセットから記録されたトラック部分（Ａ）に相当する光ディスク（４）を有し、前記トラック（３）に記録されたトラック部分（Ａ）は、全体コンテンツ（Ｂ）のトータルコストに相当する顧客最終コストを有する。当該構造体は特に、顧客最終コストを低減させ、非合法コピー又は無断コピーによって生ずる問題を除去するために、光ディスクに関する音／画像記録コストを低減させることを提供する。
2007518200.tif 000002
【特許請求の範囲】
【請求項１】
無断コピーを回避するためのデジタル情報キャリア（音及び画像）の記録構造体であって、
ＣＤ及びＤＶＤ及びいかなる読みとり装置（１）で読みとることができ得る同様のディスクのような光ディスク（４）に記録された画像／音のデジタル情報（２）に関する記録構造体（１）は、記録されたトラック部分（３）が、全体のコンテンツ（Ｂ）を有する全体のトラックのセットのうち、記録されたトラック部分（Ａ）に相当する光ディスク（４）を有し、
前記トラック（３）に記録されたトラック部分（Ａ）が、全体のコンテンツ（Ｂ）のトータルコストに相当する顧客の最終コストを有する、
ことを特徴とする構造体。
【請求項２】
前記光ディスク（４）のトラック部分（Ａ）を包含する記録されたトラック部分（３）が、全体のコンテンツ（Ｂ）のモジュールとして構成されることを特徴とする請求項１に記載の構造体。
【請求項３】
前記光ディスクのトラック部分（Ａ）を包含する記録されたトラック部分（３）が、全体のコンテンツとして構成されることを特徴とする請求項１に記載の構造体。
【請求項４】
前記記録構造体（１）に対応するディスク（４）が、いかなる音／画像読みとり装置にも適合する仕方で個々に周辺が構成されることを特徴とする請求項１乃至３のいずれか１項に記載の構造体。
【請求項５】
前記ディスク（４）が、エンベロープ（Ｅ）、又は、全体のコンテンツを完全にストアするデータを別々に若しくは別々ではなく容器に包含する他のハウジング形態に収容されることを特徴とする請求項１乃至４のいずれか１項に記載の構造体。
【請求項６】
ＣＤ／ＣＤＲ、ＤＶＤ／ＤＶＤＲディス若しくはいかなる読みとり装置でも読みとることができ得る同様のディスクのような光ディスク（４）に画像及び／又は音に関するデジタル情報のセットを有し、
前記光ディスク（４）は、全体のコンテンツ（Ｂ）から少なくとも１つの音／画像記録トラック（Ａ）に相当する記録トラック部分（３）を備え、
前記光ディスクが、
ｃ）ＣＤ／ＣＤＲ、ＤＶＤ／ＤＶＤＲのような光ディスク（４）（音／画像）の技術的開示（ＦＴ）を備え、技術的レポートが、音及び画像トラックに加えてトラックに印刷され（Ｐ）又は記録され（Ｇ）、前記光ディスクが透明な外観又は金属カラーフィルム（ＭＣ）によって被覆されることを特徴とする請求項１に記載の構造体。
【発明の詳細な説明】
【技術分野】
【０００１】
本発明は、無断コピーを回避するためのデジタル情報キャリア（音及び画像）の記録構造体に関し、特に本発明は、光ディスクに記録する音／画像のコストを低減するための特別な構造体に関し、最終的に非常に低いコストを提供し、係る光ディスクの低いコストはまた、著作権侵害及び無断コピーを低減させる。
【背景技術】
【０００２】
年々増大する無断コピーの問題は当業者には周知である。光ディスクプロデューサのような当業界の専門家は、音楽、映画、ゲームの画像／音楽の海賊行為に対して大衆の注意を一般に引きつけている。
【０００３】
ＩＦＰＩ（International Federation of the Photographic Industry）の先のレポートは、４つの大陸においてブラジルを含む２５の国で、著作権侵害が音楽ディスク市場の５０％（若しくはそれ以上）までなされていることを報告している。
【０００４】
海賊版ＣＤは、地域の文化に対して悪い影響を与え、犯罪組織が失業者を増大させるため、かかるレポートは、海賊著作権侵害に対して影響を与えるように政府に対する抗議を増大させる。
【０００５】
近年、連邦法は、ＣＤ、カセットのコピーに責任を負わせ、法律上ブラジルの市場でシリアル番号に相当するデジタル信号を持たせた。かかる法律は、２００３年４月２２日に発効し、財政オペレーションを容易にし、著作権侵害行為をより困難にさせる。
【０００６】
更に、デジタル信号及びＣＤバッチのシリアル番号は、財政オペレーションをより効率的にさせる基準のセットによって補償される。
当業界で行われている別の測定は、永遠及びリアルタイムに、法律に基づく表音文字及びそれぞれの著者又は許諾されたアーティストの識別を許容するデジタルコードの挿入を含む。
【０００７】
それ故、従来技術のサーチは、従来技術として提供されたこの問題及びソリューションに関するいくつかの資料を示し、例えばブラジルの資料として、レーザビームレコーダ及びＣＤライタに関するエンコーダの異なる能力プロファイルを採用することにより光ディスク複製に対するプロテクトをする方法に関してＰＩ０１１２８０５がある。ＣＤライタからのコピーディスクは、間違いが多いファイル及び／又はエラーメッセージをＣＤリーダに提供する。
【０００８】
別のブラジルの資料ＰＩ０１０４４５８では、ユーザがディスクから音データを読み出し、かかるデータをコンピュータファイルに保存し、その後、かかるデータはコピーされる、ＣＤ−ＲＯＭユーティリティを採用することに基づく、デジタルコンパクトディスク（ＣＤ）の複製に対する防御に言及している。それ故、ＣＤにおいてエラーが故意的に誘発され、かかるエラーは音楽装置では検出されないが、データリーダによって当該ディスクから音データを抽出するときに干渉が生じる。
【０００９】
別のブラジル特許ＰＩ００１６１８２では、コピーに対して防御されたデジタルサウンドコンパクトディスク及び、特別な種類の装置に依存した防御能力アクティベーション又はオリジナルトラックランのいずれでもない防御方法に言及している。正確な修正シンボル及び／又は信号のスーパーインポーズされた記録によってノイズパターンがＣＤコンテンツに組み入れられ、最終的には、不正確なコードを記録し、他の正確でない値を記録する。かかるＣＤの共通のＣＤレコーダは、不可逆的エラーとしてのノイズの値を検出し、かかるエラーの出力を回避するためにエラーを隠すことを適用する。
【００１０】
一般的に、上述したように、表音（phonographic）産業などは、コピーにダメージを与え、又は、その記録をブロックすることにより無断コピーを告発する光ディスクの手段を提供することを狙っている。
【００１１】
しかしながら、上述の全てのソリューションにもかかわらず、適切なソリューションは見つかっておらず、殆どの記録装置は、保護されたディスクを無視し、光学的読取装置にダメージを与える。
【００１２】
おそらく大きな問題である別の問題は、専門家の意見は新規なソリューション、新規な記録装置などは、最終的に高価になるため、これらの全てのアプローチは、表音（phonographic）産業などに追加のコストを与えることを意味する。かかるコストは、管理費用（Govern fee）は含まない。
【００１３】
一方、海賊製品産業は、技術的品質なしで低コスト製品を提供することが出来るので、自由に成長し、画像／音装置にダメージを与える。
更に、非合法製品は、公課が徴収されておらず、著作権使用料なども支払っておらず、合法的製品の防御鎖の一部をなしておらず、市場の需要に迅速に到達し、それ故、非常に低い最終コストで同様な製品が提供される。
【００１４】
同様の鎖において、最終的に、殆どの（非合法マーケットがより強化されている）開発途上国の顧客は、低コストの製品（ゲーム、ＣＤ・・）を狙い、不正な行為を活気づけ、著作権侵害サイクルを密閉している。
【発明の開示】
【課題を解決するための手段】
【００１５】
上述の通り、本発明は特にアーティストクラスにソリューションを提供するものであり、この問題における興味ある部分の殆どは、即ちこの問題をより複雑に悪化させるソリューションである海賊版製品価格よりも低いコストの（売るための準備が出来た）最終製品の新規な構造体を有する。
【００１６】
表音（phonographic）産業の統計データに基づくと、例えばソロ歌手、デュエット、又はバンドなどの光ディスクが発行されたとき、約１２乃至１５曲が包含されており、かかる曲のうち２つ又は３つの曲がプロモーションエンドにためにマーケット（ラジオ及びテレビ番組）に自由に開示される。
【００１７】
従って、ファンは自由に開示された曲の良好なインパクトに鑑みてＣＤ（又はＤＶＤ）を購入する。
それ故、本発明は、モジュールに提供されたデジタル情報を包含する新規な記録構造体を有し、１２曲を包含するＣＤ又はＤＶＤが、好ましくは自由に開示される２つ又は３つの曲を包含し、音／画像データリーダ装置の構成に適合するように提供される。
【００１８】
当該新規な記録構造体は、現在のコストと比較すると、より低い最終コストを許容し、合法的なコピーの技術的品質及び読取装置が保護されているので、多くの有利な特徴を有しているが、海賊版製品の観点からみても非常に競争できるマーケットを提供する。別の特徴は、合法的な製品によって提供される顧客補償である。
【００１９】
本発明の他の有利な特徴は、合法的なネットワーク商取引のメンテナンスであり、全ての権利は合法的に保護され、作者は製品及びセールスを制御する手段を有し、表音（phonographic）産業は、そのセールス能力を強化し且つ制御することが出来、政府は個々の料金を徴収し制御することが出来る。
【発明を実施するための最良の形態】
【００２０】
図を参照すると、本発明は、無断コピーを回避するためのデジタル情報キャリア（音及び画像）の記録構造体（recording configuration）に関し、音／画像に関連するデジタル情報（２）のセットの新規な構造体（１）がＣＤ及び／又はＤＶＤ若しくは同様の光ディスク（４）に記録され、それらは音／画像装置で読み出すことができ、合法的で商業的なネットワークから作者（Ｔ）、写真産業（Ｆ）又はそれらと同様なもの、費用及び税金（Ｐ）及び顧客（Ｃ）の情報を含み、構造体（１）は、ディスク全体のコンテンツを包含する総セットのトラックからトラックレコーディング（Ａ）の一部に対応する記録されたトラック部分（３）を光ディスク（４）が有するという仕方で提供される。
【００２１】
構造体（１）に従って、光ディスク（４）の一部のトラック（Ａ）を包含するトラック部分（３）は、モジュール（Ｂ）として構成され、かかるコンテンツがデジタル情報（２）の記録されたトラック（Ａ）を備えたディスク（４）を有するならば、ディスク全体のコンテンツとして構成される。
【００２２】
従って、トラック部分（３）に記録されたトラックの一部（Ａ）を備えたディスク（４）は、トータルコストの一部に相当する最終コストを含み、現在のコストと比較したとき、顧客の最終コストを著しく低くすることができる。
【００２３】
本発明のある利点は、公衆であるか否かを問わず、全体のコンテンツが一歩一歩完成する、異なるトラック配置（Ａ）を備えた他の光ディスク（４）を顧客が購入することが出来ることである。
【００２４】
ＣＤ又はＤＶＤは、読みとり装置が適合すれば、丸い形状から他の形状のように種々の周囲形状によって提供されるトラック構成を許容する。
エンベロープ（Ｅ）が設けられてもよいが、他の種類のハウジングがデータを別々に（又は別々ではなく）保存する容器を構成し、かくして全体のコンテンツを形成する。
【００２５】
更に、本発明は、ＣＤ／ＣＤＲ、ＤＶＤ／ＤＶＤＲディスク、又は、いかなる読みとり装置でも読みとることが出来る同様なディスクのような光ディスク（４）に、音及び／又は画像に関するデジタル情報のセットを記録する構成を有し、当該光ディスク（４）は、全体のコンテンツ（Ｂ）から、トラック（Ａ）に記録された少なくとも１つの音／画像に対応する記録されたトラック部分（３）を有し、当該光ディスク（４）は、以下の特徴を備える；
ａ）ＣＤ／ＣＤＲ、ＤＶＤ／ＤＶＤＲのような光ディスク（４）（音／画像）の技術的開示（ＦＴ）；かかる技術的レポートは、音及び画像トラックに加えて、トラックにプリントされ（Ｐ）又は記録される（Ｇ）；
ｂ）当該光ディスクは、透明な外観であり、又は、金属カラーフィルム（ＭＣ）によって被覆される。
【００２６】
本発明を好ましい実施形態の用語で記載したが、かかる用語により本発明の範囲は制限されるべきではなく、添付の特許請求の範囲により定義された範囲を考慮して異なる実施形態を適用することができる。
【図面の簡単な説明】
【００２７】
【図１】全ての関連するパーツが示された新規な記録構造体の図の例示である。
【図２】新規な記録構造体の好ましい実施形態の例示である。
【図３】新規な記録構造体をストアする所定の方法の例示である。
【図４】新規な記録構造体の好ましい実施形態の例示である。
【図１】
2007518200.tif 000003
【図２】
2007518200.tif 000004
【図３】
2007518200.tif 000005
【図４】
2007518200.tif 000006
【国際調査報告】
2007518200.tif 000007
2007518200.tif 000008
2007518200.tif 000009